(57)【特許請求の範囲】
【請求項１】
長形枠の下端側に折りたたみ椅子が着設されたストレッチャーであって、前記長形枠の外枠が、屈曲部より上端側の頭部側が鋭角形状に形成された略コ字状の枠と、屈曲部より下端側は広い把持部が形成された略コ字状の枠とからなり、前記上端側は楕円形状のパイプより形成され、前記下端側は丸形状のパイプより形成されており、
前記下端側の略コ字状の枠を形成する丸形状のパイプの接続は、前記屈曲部の下端側の屈曲部材にパイプの内面に複数本の凸部を設けた楕円形状のアウターパイプを取着し、前記下端側の丸形状のパイプで形成された略コ字状の枠をインナーパイプとし、該インナーパイプの先端部に凹部を設けた楕円形状のガイドキャップを装着し、前記楕円形状のアウターパイプの内面の凸部と前記丸形状のパイプに装着したガイドキャップの凹部を係合させて接続し、前記アウターパイプの先端部にインナーパイプを固定するためのアダプターが着設されており、
前記折りたたみ椅子は長形枠の屈曲部の下側に枢着された座部フレームと、該座部フレームの先端に回動自在に枢着された前脚部フレームと、一方端は前脚部の中ほどに枢着され、他方端は長形枠に枢着された前脚部支持フレームと、前脚部支持フレームの中ほどに枢着され、他方端が連結杆の連結部に枢着された前脚部補助フレームよりなり、前記前脚部補助フレームの他方端が枢着された連結杆は長形枠の下端部の短手側端部より内側に設けられて短手側端部が広い把持部となっていることを特徴とするストレッチャー。
【請求項２】
ストレッチャーに取着する布の上張りが背面と座面とに分割されて覆われていることを特徴とする請求項１に記載のストレッチャー。
【請求項３】
折り畳んだ際の開き止め用の係止具を装着したことを特徴とする請求項１又は請求項２のいずれかに記載のストレッチャー。
【発明の詳細な説明】
【０００１】
【発明の属する技術分野】
本発明は、救急車に常時載置されている救急患者を搬送するためのストレッチャーに関する。
【０００２】
【従来の技術】
ストレッチャーは図１８に示すように折り畳まれた状態で、救急車に常時載置されており、救急患者を搬送する場合はストレッチャーＡを図１９に示すように広げて患者をその上に寝かせて搬送する。狭い通路、曲がりくねった通路などの現場から救急患者を搬出する場合、通常に用いられる長い担架の状態では搬出することが出来ない。このような場合にストレッチャーＡは、これを図２０に示すように、ストレッチャーＡに着設された折り畳み椅子Ｂを開いて、立てて使用することにより、患者を座らせた状態で狭い通路でも、曲がりくねった通路でも一人で容易に搬出することができるものである。
【０００３】
しかし、従来のストレッチャーＡは折り畳み椅子Ｂの前脚部Ｃを支持する前脚部補助フレームＤが図２０に示すように、長形枠の担架の下端の枢着部Ｅに枢着されているために、担架の状態で搬送する場合に、折り畳み椅子Ｂの前脚部補助フレームＤの枢着部Ｅがあるために把持しがたく、また、折りたたみ椅子Ｂの前脚部補助フレームＤの一端が地面に近い位置に着設されているために、椅子に座らせた状態で搬送する場合に、接地面の振動が直接前脚部Ｃに伝わり、患者に苦痛と不安を与えていた。
【０００４】
【発明が解決しようとする課題】
本発明は、ストレッチャーを担架の状態でも把持しやすく、また、折りたたみ椅子を広げて使用しても安定した状態で救急患者の搬送ができるストレッチャーを提供することにある。
【０００５】
【課題を解決するための手段】
上記事実に鑑み鋭意研究を重ねた結果、長形枠の短手側下端部の内方に連結杆を着設して、折りたたみ椅子の前脚部補助フレームを枢着して折りたたみ椅子の開閉を可能とし、さらに、担架の把持部を持ち易くしたストレッチャーの創成に成功した。
【０００６】
請求項１に記載の発明は、長形枠の下端側に折りたたみ椅子が着設されたストレッチャーであって、前記長形枠の外枠が、屈曲部より上端側の頭部側が鋭角形状に形成された略コ字状の枠と、屈曲部より下端側は広い把持部が形成された略コ字状の枠とからなり、前記上端側は楕円形状のパイプより形成され、前記下端側は丸形状のパイプより形成されており、
前記下端側の略コ字状の枠を形成する丸形状のパイプの接続は、前記屈曲部の下端側の屈曲部材にパイプの内面に複数本の凸部を設けた楕円形状のアウターパイプを取着し、前記下端側の丸形状のパイプで形成された略コ字状の枠をインナーパイプとし、該インナーパイプの先端部に凹部を設けた楕円形状のガイドキャップを装着し、前記楕円形状のアウターパイプの内面の凸部と前記丸形状のパイプに装着したガイドキャップの凹部を係合させて接続し、アウターパイプの先端部にインナーパイプを固定するためのアダプターが着設されており、
前記折りたたみ椅子は長形枠の屈曲部の下側に枢着された座部フレーム、該座部フレームの先端に回動自在に枢着された前脚部フレームと、一方端は前脚部の中ほどに枢着され、他方端は長形枠に枢着された前脚部支持フレームと、前脚部支持フレームの中ほどに枢着され、他方端が連結杆の連結部に枢着された前脚部補助フレームよりなり、前記前脚部補助フレームの他方端が枢着された連結杆は長形枠の下端部の短手側端部より内側に設けられて短手側端部が広い把持部となっていることを特徴とするストレッチャーである。
【０００７】
長形枠の上端側を鋭角形状とすることにより、救急車へ搭載する場合に、頭部側の両端の間隔が狭くなっていることから、救急車に搭載しやすく、また、担架を持ち上げるときに、両腕の開きが狭くなって把持しやすくなる。さらに、折りたたみ椅子の前脚部の開閉を行う前脚部補助フレームの枢着部をストレッチャーの枠の下端部より内方に設けられた連結杆に枢着することにより、担架を持ち上げるときの把持部が広くなり、ストレッチャーに患者を載せて搬送する場合に持ちやすく、安定して使用することが出来る。また、ストレッチャーの椅子を広げて、救急患者を椅子に座らせて搬送する場合に、移動による振動が軽減され、患者の苦痛を和らげることができる。
【０００８】
長形枠の下端側の略コ字状の枠を形成する丸形状のパイプは、パイプを結合した後で、楕円形状のアウターパイプ内で丸形状のインナーパイプが揺動しないように、丸形状のパイプの先端部にガイドキャップを着設し、さらに、インナーパイプをアウターパイプに強固に固定するために、楕円形状のアウターパイプの開口部には、インナーパイプを固定するためのアダプターを着設した。
【０００９】
折りたたみ椅子の前脚部補助フレームの一端が前脚部支持フレームに回動自在に枢着されていることを特徴とするストレッチャーである。前脚部の開閉のために前脚部補助フレームの一端を前脚部支持フレームに回動可能に枢着することにより、椅子の前脚部の開閉をスムースに行い、前脚部補助フレームに受ける振動が前脚部支持フレームで緩衝され、搬送中の振動による患者の苦痛を和らげられる。また、患者を載せた場合に椅子の前脚部にかかる荷重や、移動による振動等から椅子の前脚部を保護する。
【００１０】
請求項２に記載の発明は、ストレッチャーに取着する布の上張りが背面と座面とに分割されて覆われていることを特徴とする請求項１に記載のストレッチャーである。ストレッチャーの背面と座部を覆うファスナーを取着したビニールコーティングされたナイロン織製の布を、背面と座部とを分離することによって、背面、又は座部の一方の布が汚れたり、傷ついた場合にはその部分のみを交換することができ、全体を交換するよりも容易であり、経済的である。
【００１１】
請求項３に記載の発明は、折り畳んだ際の開き止め用の係止具を装着したことを特徴とする請求項１又は請求項２のいずれかに記載のストレッチャーである。係止具を設けたことによって、折り畳んで保管する場合に、上と下のフレームを係合して不用意に開いたりしないように固定できると共に、必要なときは直ちに開くことができる。
【００１２】
【発明の実施の形態】
本発明の実施の代表的な形態を図面に基づいて説明するが、要旨を越えない限り、以下の実施例に限定されるものではない。
【００１３】
実施例−１
本発明のストレッチャー１００の一例は、図１に示すように長形枠１１の上端側が鋭角形状をなしており、下端側に折りたたみ椅子２１が着設されている。本発明ストレッチャー１００には、折りたたみ椅子２１の開閉を行う前脚部補助フレーム２３が長形枠１１の短手側端部より内方に設けらた連結杆１５に取着されている。長形枠１１の上端側を鋭角形状とすることにより、救急車へ搭載する場合に、上端側の両端の間隔が狭くなっていることから、救急車に搭載しやすく、また、担架を持ち上げるときに把持しやすくなる。
【００１４】
ストレッチャー１００の上張り１０は背面にファスナーを取着したビニールコーティングされたナイロン織製の布で覆われている。さらに、患者を保護するために患者の胸部、腹部、脚部の夫々に当たる位置にベルトが着設されて、患者を安定に保持することができる。
【００１５】
担架として使用する場合は、図２に示すようにポスト１３とキャスター１４により接地面より上部に置くことができる。また、救急車に載置する場合は、図３の３−１に示すように屈曲部材１２を取着した位置で二つに折たたんで救急車の所定の位置に載置する。これを側面より示すと、３−２に示すようにキャスター１４とポスト１３が折たたまれてコンパクトな形状とすることができる。
【００１６】
ストレッチャーに着設した折りたたみ椅子２０は、図４に示すように、折りたたみ椅子２０の前脚部２２に前脚部支持フレーム２４を着設し、この前脚部支持フレーム２４の内側に前脚部補助フレーム２３の一方端を回動自在に枢着して、長形枠１１の下端側より内方に設けられた連結杆１５に、ベアリング等を介して回動自在に前脚部補助フレーム２３の他方端を枢着する。
【００１７】
図５に示すように、長形枠１１の上端側は頭部側となり、この頭部側の形状を鋭角形状にし、中央部で折り畳めるように枠の中程に屈曲部１２を装着し、その下側に折りたたみ椅子２０の座部フレーム２１を回動自在に枢着した。折りたたみ椅子２０の前脚部支持フレーム２４の一方端は前脚部２２の中程に回動自在に枢着し、他方端は長形枠１１に摺動可能に枢着された前脚部支持フレームの摺動部２５に回動自在に枢着する。この前脚部支持フレーム２４の中程に前脚部補助フレーム２３の一方端を回動自在に枢着する。前脚部補助フレーム２３の他方端は斜め下後方の、長形枠１１の短手側端部より内方に設けられた連結杆１５に枢着されたベアリング等で回動自在とした前脚部補助フレーム２３の連結部２６に取着した。
【００１８】
このように折り畳み椅子２０の前脚部２２を支持する前脚部補助フレーム２３の連結部２６をストレッチャーの短手側の下端部より内方の連結杆１５に設けることによって、ストレッチャーの短手側の下端部が広くなり、ストレッチャーに患者を載せて搬送する場合に、持ちやすく、安定して使用することが出来るとともに、患者の搬送中に振動を和らげることができる。
【００１９】
前脚部の取着は図６に示すように、折りたたみ椅子の前脚部支持フレーム２４に前脚部補助フレーム２３が回動自在に枢着されている。前脚部２２の開閉のために、前脚部支持フレーム２４の中程に前脚部補助フレーム２３を回動自在に枢着することにより、前脚部支持フレーム２４を下から支えて、前脚部支持フレーム２４を保護し、前脚部２２の開閉をスムースに行う。また、患者を椅子に座らせた状態で搬送する時に、椅子を後方に傾けるた場合、折たたみ椅子２０の前脚部２２に患者の脚部の荷重がかかる。このような場合に、前脚部支持フレーム２４の中程に前脚部補助フレーム２３を枢着することによって、この荷重を分散して受け止めることができる。
【００２０】
実施例−２
本発明のストレッチャー２００の一例は、図７に示すように長形枠１１の上端側が鋭角形状をなしており、下端側に折りたたみ椅子２１が着設されている。ここで使用される長形枠１１の材質は、ステンレス、アルミ合金等を例示できるが、これらに限定されるものではなく、搬送のために軽量であり、患者の体重に耐える強度がある材質が望ましい。長形枠１１の上端側を鋭角形状とすることにより、救急車へ搭載する場合に、上端側の両端の間隔が狭くなっていることから、救急車に搭載しやすく、また、担架を持ち上げるときに把持しやすくなる。
【００２１】
ストレッチャー２００の上張り１０は背面、及び座部にファスナーを取着したビニールコーティングされたナイロン織製の布がそれぞれ分離して覆われている。さらに、患者を保護するために患者の胸部、腹部、脚部の夫々に当たる位置にベルトが着設されて、患者を安定に保持することができる。前記上張り用の布の材質はビニールコーティングされたナイロン織製の布に限定されるものではないが、患者を乗せた場合に伸び難くく、断裂しない強度を有すると共に、水分を通しにくい素材のものが望ましい。また、ファスナーは上張りの着脱を容易にするものであり、ファスナーに限定されないが、着脱が容易で、患者を乗せた場合に、患者の体重で外れない締結方法が望ましい。
【００２２】
また、救急車に載置する場合は、図８の８−１に示すように屈曲部材１２を取着した位置で二つに折たたんで救急車の所定の位置に載置する。これを側面より示すと、８−２に示すようにキャスター１４とポスト１３が折たたまれてコンパクトな形状とすることができる。また、折畳んだ状態で係止具１９を掛けておくと不用意に開くことがなく、安定な状態で救急車などに載置できる。
【００２３】
ストレッチャーに着設した折りたたみ椅子２０は、図９に示すように、折りたたみ椅子２０の前脚部２２に前脚部支持フレーム２４を着設し、この前脚部支持フレーム２４の中間に前脚部補助フレーム２３の一端を着設して、長形枠１１の下端側より内方に設けられた連結杆１５に、前部脚補助フレーム２３の他方端を取着する。折畳む場合は、ポスト１３に設けられたボタン１３ａを押すとポスト１３が長形枠１１の内側に折畳まれ、キャスター１４はキャスター１４の上部に設けられたボタン１４ａを押すとキャスター１４が長形枠の内側に折畳むことができる。
【００２４】
図１０に示すように、長形枠１１の上端側は頭部側となり、この頭部側の形状を鋭角形状にし、中央部で折り畳めるように枠の中程に屈曲部１２を装着し、その下側に折りたたみ椅子２０の座部フレーム２１を回動自在に枢着した。折りたたみ椅子２０の前脚部支持フレーム２４の一方端は前脚部２２の中程に回動自在に枢着し、他方端は長形枠１１に摺動可能に枢着された前脚部支持フレームの摺動部２５に回動自在に取着する。この前脚部支持フレーム２４に前部連結杆１８を設けこの前部連結杆１８の中程に前脚部補助フレーム２３の一方端を取着する。前脚部補助フレーム２３の他方端は斜め下後方の、長形枠１１の短手側端部より内方に設けられた下部連結杆１５の中間部に取着した。
【００２５】
このように折り畳み椅子２０の前脚部２２を支持する前脚部補助フレーム２３の他方端をストレッチャー２００の短手側の下端部より内方の下部連結杆１５に設けることによって、ストレッチャーの短手側の下端部が広くなり、ストレッチャーに患者を載せて搬送する場合に、持ちやすく、安定して使用することが出来るとともに、患者の搬送中に振動を和らげることができる。
【００２６】
また、長形枠１１の上部に折畳んだ際の開き止め用係止具１９を取着した。係止具１９の一方端は長形枠１１に柔軟性のあるベルト１９ａで固定し、他方端には長形枠１１のフレームに咬合する半円状の係止部１９ｂが設けられている。係止具１９は、図１１の（１１−１）の側面図に示すように、一方端はストレッチャーを折畳んだときに並行するフレームに係合させるため係合部１９ａを有し、他方端は図１１の（１１−２）上面図に示すように、下端にベルトを装着してフレームに取着するベルト装着部１９ｂを有している。係止具１９は弾力性のある合成樹脂等が望ましいが、合成樹脂に限定されるものではなく、弾力性のある金属でもよい。係止具１９の構造は、上記構造に限定されるものではなく、緊急時に折畳んだストレッチャーを直ちに開くことができる方法であれば良い。例えば、フレームの上下にベルトを設け、該ベルトにプラグ・ソケット方式、フロントプッシュ方式のバックル等を取り付けてフレームを結束固定する係止方法等が例示できる。
【００２７】
本発明ストレッチャー２００には、折りたたみ椅子２１の開閉を行う前脚部補助フレーム２３が長形枠１１の短手側端部より内方に設けられた連結杆１５に取着されている。この前脚部補助フレーム２３は図１２に示すように、折りたたみ椅子の前脚部支持フレーム２４に設けられた前部連結杆１８と長形枠１１の下端部の内方に設けられた下部連結杆１５に取着されている。前脚部２２の開閉のために、前脚部補助フレーム２３を執着することにより、前脚部支持フレーム２４を保護し、前脚部２２の開閉をスムースに行う。また、患者を椅子に座らせた状態で搬送する時に、椅子を後方に傾けた場合、折たたみ椅子２０の前脚部２２に患者の脚部の荷重がかかる。このような場合に、前脚部支持フレーム２４と前脚部補助フレーム２３によって、この荷重を分散して受け止めることができる。
【００２８】
また、上部連結杆１７は背もたれのナイロン織製の布の一端を取着するために、長形枠の上方に向けて台形状に屈曲した形状をしている。このように上部連結杆を長形枠の上方に向けて台形状にすることにより、ファスナーを取着したビニールコーティングされたナイロン織製の布の着脱を容易にすることができる効果を有している。
実施例ー３
本発明のストレッチャー２００を担架として使用する場合は、図１３に示すようにポスト１３とキャスター１４により接地面より上部に置くことができる。ストレッチャーの屈曲部１２より上端側には略楕円形状のパイプを用いた。長径枠の略中央部に設けた屈曲部１２の下端側はアウターパイプ１１ａと、長径枠の下端側に折りたたみ椅子を着設するためのインナーパイプ１１ｂを結合させた。アウターパイプ１１ａには上端側と同様に略楕円形状のパイプを用い、それに接続するインナーパイプ１１ｂには丸形状のパイプを用いた。この径と形状の異なるパイプ間の結合方法については以下に述べる方法により行った。
【００２９】
図１４に示すように、屈曲部１２の下端側に着設された楕円パイプであるアウターパイプ１１ａに丸パイプであるインナーパイプ１１ｂが挿入されている。このように、アウターパイプ１１ａとインナーパイプ１１ｂとは径と形状が異なることより、パイプを結合した後で、アウターパイプ１１ａ内でインナーパイプ１１ｂが揺動しないように、丸パイプ１１ｂ（インナーパイプ）の先端部にガイドキャップ３１を着設した。さらに、インナーパイプ１１ｂをアウターパイプ１１ａに強固に固定するために、アウターパイプ１１ａの開口部には、インナーパイプ１１ｂのためのアダプター３２を着設した。
【００３０】
ガイドキャップ３１の形状は図１５に示すように、頭部が六角形状をしており、ガイドキャップ３１の側面（図１５−１）は短く、正面３１ａ（図１５−２）は長くなっており、アウターパイプ１１ａの楕円の形状に合致するようにしている。ガイドキャップ３１の底面３１ｂより示すと図１５−３のように、ガイドキャップ３１のアウターパイプ１１ａの内面に当接する部分の長径側に凹部（矢印で示す部分）を設けた。
【００３１】
アウターパイプ１１ａは図１６に示す形状をしている。図１６−１の断面図に示すようにアウターパイプ１１ａの左右２箇所パイプの内面に凸部が設けられている。このアウターパイプ１１ａの内面の凸部は線状の凸部となっており、前記ガイドキャップ３１の長径側に設けられた凹部が係合して、ガイドキャップ３１を取り付けたインナーパイプ１１ｂがガイドパイプ１１ａの内面で揺動するのを防ぐようになっている。図１６−３はアウターパイプ１１ａの正面図を示し、端部に設けられた窓部３３には、図１７で示すアダプター３２の切り欠き部３５が係合する。
【００３２】
アウターパイプ１１ａの先端部には、図１７に示すアダプター３２が着設されている。アダプター３２の断面図は１７−１に示すように、その内面にａ、ｂ、ｃで示す線状の凸部が複数本設けられている。このようにアダプター３２に複数本の線状の凸部を設けることによって、アウターパイプ１１ａとインナーパイプ１１ｂが面で接することなく、点で接することになり、インナーパイプ１１ｂのスライドが滑らかになる。図１７−１、及び１７−２に示す孔３３，３４はセイフティロック用の孔であり、アダプター３２の両側面に設けられている。アダプター３２の正面に設けられた逆コの字状の切り欠き３５は、アウターパイプ１１ａに設けられた窓部に係合して、アウターパイプ１１ａにアダプター３２が強固に固定される。
【００３３】
【発明の効果】
ストレッチャーの上端側を鋭角形状とすることにより、救急車へ搭載する場合に、頭部側の両端の間隔が狭くなっていることから、救急車に搭載しやすく、また、担架を持ち上げるときに把持しやすい効果を有している。  折りたたみ椅子の脚部を支持する前脚部補助フレームの取着位置をストレッチャーの短手側の下端部から内方に連結杆に設けることにより把持部が広くなり、ストレッチャーに患者を載せて搬送する場合に、持ちやすく、安定して使用することが出来る。
【００３４】
前脚部の開閉のためにフレームの取着を前脚部支持フレームに設けた前部連結杆の中程に前脚部補助フレームを取着することにより、開閉をスムースに行い、前脚部を保護する。ストレッチャーの背面と座部を覆うファスナーを取着したビニールコーティングされたナイロン織製の布を、背面と座部とを分離することによって、背面、又は座部の一方の布が汚れたり、傷ついた場合にその部分のみを交換することができ、全体を交換するよりも容易であり、経済的である。ストレッチャーを折畳んだ際の開き止め用の係止具を長形枠に着設することにより、折畳んだ状態で安定に保管することができる効果を有している。
【図面の簡単な説明】
【図１】ストレッチャー１００の上面図。
【図２】ストレッチャー１００の側面図。
【図３】ストレッチャー１００を折たたんだ上面図。
【図４】折りたたみ椅子を開いた側面図。
【図５】折りたたみ椅子を開いた斜視図。
【図６】折りたたみ椅子の部分側面図。
【図７】ストレッチャー２００の上面図。
【図８】（８−１）ストレッチャー２００を折たたんだ上面図。
（８−２）ストレッチャー２００を折たたんだ側面図。
【図９】折りたたみ椅子を開いた側面図。
【図１０】折りたたみ椅子を開いた斜視図。
【図１１】（１１−１）係止具の側面図。
（１１−２）係止具の上面図。
【図１２】折りたたみ椅子の部分斜視図。
【図１３】ストレッチャーの側面図。
【図１４】パイプの連結方法を示す部分側面図。
【図１５】ガイドキャップの側面及び下面図。
【図１６】楕円形状のパイプの正面図と側面図。
【図１７】アダプターの断面図、側面図、及び正面図。
【図１８】従来のストレッチャーの折たたんだ上面図。
【図１９】従来のストレッチャーの側面図。
【図２０】従来のストレッチャーの折たたみ椅子を開いた側面図。
【符号の説明】
１００：ストレッチャー
２００：ストレッチャー
１０：上張り
１０ａ：座部の上張り
１１：長形枠
１１ａ：楕円パイプ
１１ｂ：丸パイプ
１２：屈曲部材
１３：ポスト
１３ａ：ポストの折畳み用ボタン
１４：キャスター
１４ａ：キャスターの折畳み用ボタン
１５：下部連結杆
１６：キャスター支持部材
１７：上部連結杆
１８：前部連結杆
１９：係止具
１９ａ：ベルト装着部
１９ｂ：係合部
２０：折りたたみ椅子
２１：座部フレーム
２２：前脚部
２３：前脚部補助フレーム
２４：前脚部支持フレーム
２５：摺動部
２６：連結部
３１：ガイドキャップ
３２：アダプター
３３：窓部
３４：セイフティーロックの孔
３５：切り欠き部
Ａ：従来のストレッチャー
Ｂ：折りたたみ椅子
Ｃ：前脚部
Ｄ：前脚部補助フレーム
Ｅ：枢着部
【図１】
0003814681.tif 000002
【図２】
0003814681.tif 000003
【図３】
0003814681.tif 000004
【図４】
0003814681.tif 000005
【図５】
0003814681.tif 000006
【図６】
0003814681.tif 000007
【図７】
0003814681.tif 000008
【図８】
0003814681.tif 000009
【図９】
0003814681.tif 000010
【図１０】
0003814681.tif 000011
【図１１】
0003814681.tif 000012
【図１２】
0003814681.tif 000013
【図１３】
0003814681.tif 000014
【図１４】
0003814681.tif 000015
【図１５】
0003814681.tif 000016
【図１６】
0003814681.tif 000017
【図１７】
0003814681.tif 000018
【図１８】
0003814681.tif 000019
【図１９】
0003814681.tif 000020
【図２０】
0003814681.tif 000021